(57)【要約】【課題】光輝性顔料を含むインキにより潜像を設けることができる感熱転写媒体、およびその感熱転写媒体で潜像が設けられた情報記録体を提供する。【解決手段】支持体２の片面に、色素を含む１つ以上の熱転写インキ層Ｃ、Ｍ、Ｙと、光輝性顔料を含む機能性インキからなる少なくとも２つの機能性熱転写インキ層Ｐ１、Ｐ２と、が面順次に設けられ、機能性熱転写インキ層は、光輝性顔料Ａを含む機能性インキＡからなる機能性熱転写インキ層Ａと、光輝性顔料Ｂを含む機能性インキＢからなる機能性熱転写インキ層Ｂと、を有し、機能性熱転写インキ層Ａと機能性熱転写インキ層Ｂは同一の干渉色を有し、機能性熱転写インキ層Ａと機能性熱転写インキ層Ｂは互いに異なるヘイズ値を有する。【選択図】図１
2020082354.tif 000002
【特許請求の範囲】
【請求項１】
支持体の片面に、色素を含む１つ以上の熱転写インキ層と、光輝性顔料を含む機能性インキからなる少なくとも２つの機能性熱転写インキ層と、が面順次に設けられ、
前記機能性熱転写インキ層は、光輝性顔料Ａを含む機能性インキＡからなる機能性熱転写インキ層Ａと、光輝性顔料Ｂを含む機能性インキＢからなる機能性熱転写インキ層Ｂと、を有し、
前記機能性熱転写インキ層Ａと前記機能性熱転写インキ層Ｂは同一の干渉色を有し、
前記機能性熱転写インキ層Ａと前記機能性熱転写インキ層Ｂは互いに異なるヘイズ値を有する、ことを特徴とする感熱転写媒体。
【請求項２】
前記機能性熱転写インキ層Ａのヘイズ値が１％以上３％未満であり、前記機能性熱転写インキ層Ｂのヘイズ値が３％以上６％未満であることを特徴とする請求項１に記載の感熱転写媒体。
【請求項３】
基材上に、
色素を含む１つ以上の熱転写インキ層と、
光輝性顔料Ａを含む機能性インキＡからなる機能性熱転写インキ層Ａと、光輝性顔料Ｂを含む機能性インキＢからなる機能性熱転写インキ層Ｂと、が少なくとも熱転写され、
前記機能性熱転写インキ層Ａと前記機能性熱転写インキ層Ｂは同一の干渉色を有し、前記機能性熱転写インキ層Ａと前記機能性熱転写インキ層Ｂは互いに異なるヘイズ値を有し、オーバレイ層が積層された情報記録体であって、
前記機能性インキＡおよび前記機能性インキＢを用いて所定の表示画像が形成された少なくとも１つの画像形成部が設けられ、前記画像形成部は、所定の観察角度から見たときに前記機能性熱転写インキ層Ａおよび前記機能性熱転写インキ層Ｂが呈する同一の干渉色が見え、観察角度を変えると干渉色が消失することを特徴とする情報記録体。
【請求項４】
前記機能性熱転写インキ層Ａのヘイズ値が１％以上３％未満であり、前記機能性熱転写インキ層Ｂのヘイズ値が３％以上６％未満であることを特徴とする請求項３に記載の情報記録体。
【請求項５】
前記画像形成部が、前記機能性インキＡで形成したセルパターンＡと、前記機能性インキＢで形成したセルパターンＢと、の少なくとも２種類のセルパターンを用いて所定の表示画像が形成されてなることを特徴とする請求項３または４に記載の情報記録体。
【請求項６】
機能性インキＡで形成された核ドットαと、前記核ドットαに隣接し、前記核ドットαと等面積を有する機能性インキＢで形成された周縁ドットβと、で形成したセルパターンＣと、
機能性インキＢで形成された核ドットβと、前記核ドットβに隣接し、前記核ドットβと等面積を有する機能性インキＡで形成された周縁ドットαと、で形成したセルパターンＤと、の少なくとも２種類のセルパターンを用いて、所定の表示画像が形成されてなることを特徴とする請求項３または４に記載の情報記録体。
【請求項７】
請求項６に記載の情報記録体に、前記セルパターンが並べられているピッチと同じピッチの凸レンズアレイを重ねることで、セルパターンＣの核ドットαおよびセルパターンＤの核ドットβの機能性インキの下地色のみを表示することを特徴とするセルパターンの表示方法。
【発明の詳細な説明】
【技術分野】
【０００１】
本発明は、パスポートやＩＤカードに代表される個人認証媒体などの情報記録体を作成するための感熱転写媒体、およびそれを用いた情報記録体、ならびにその表示方法に関する。
【背景技術】
【０００２】
従来、文字や絵柄が種々の方法で印刷された印刷物、特に、パスポートやＩＤカード等の個人認証媒体はじめ、クレジットカード、通帳などセキュリティ性を求められる情報記録体に、セキュリティ性や意匠性を付与するために特殊な視覚効果を有する画像を設けることが行われ、偽造、改竄や贋造の防止、真正性の証明などの効果があるとされている。
【０００３】
画像を設ける方法は種々提案されているが、その一つにインキリボン等の感熱転写媒体を用いた熱転写記録方法がある。熱転写記録方式には、感熱転写媒体から情報記録体に直接インキを転写する直接転写方式と、感熱転写媒体から一旦中間転写箔にインキを転写し、中間転写箔から情報記録媒体に再転写する間接転写方式とがあり、それぞれの特徴に応じて広く用いられている。
【０００４】
特殊な視覚効果を有する画像を設ける手法としては、例えば特許文献１には、蛍光インキを用いて潜像画像を形成する手法が、特許文献２には、回折格子と光散乱パターンを組み合わせたパターンを形成する手法が、また特許文献３には、干渉光を射出するパール顔料を含む熱転写インキにより画像を形成する方法が、それぞれ開示されている。
【０００５】
特許文献１の蛍光インキによる潜像は、オフセット等の従来の印刷技術を用いて、蛍光物質を含む無色の蛍光インキをカードに印刷し、潜像を形成するものであるが、この方法ではカードに共通の潜像画像を設けるには適しており、カード基材が本物かどうかの識別には良いが、発行されたカードの表示内容が本物かどうかの判別できる様にするためには、カードごとに印刷版を作成する必要があり、現実的でなかった。
【０００６】
また特許文献２には、ホログラム等の回折格子を熱転写箔として、個別情報を印字する方法が提案されている。その他にも、間接転写方式を用いて、中間転写箔の転写層間にホログラムなどの光学的可変素子を設け、その効果により偽造防止性を得ることも行われている。しかし一般的にホログラムの転写箔の入手は比較的容易になってきているため、やはり偽造防止効果は限定的なものとなってきており、一見すると似た様な効果を発揮するもので代用されたときに、専門的な技術者以外には目視による真偽判定が難しいという課題もあった。
【０００７】
また特許文献３には、パール顔料を使用して第２画像を形成する印刷方法が開示され、熱転写リボンの形態として画像を形成する手法が開示されているが、パール顔料（光輝性顔料）は各種の化粧箱や包装紙などに使用されており、一般に入手が容易であり、簡単なパターンであれば容易に複製され易いという問題点があった。
【先行技術文献】
【特許文献】
【０００８】
【特許文献１】登録実用新案第３０２９２７３号公報
【特許文献２】特開２０００−２６３９１０号公報
【特許文献２】特開２００４−１４２４４５号公報
【発明の概要】
【発明が解決しようとする課題】
【０００９】
本発明は、光輝性顔料（パール顔料）を含むインキにより潜像を設けることができる感熱転写媒体、およびその感熱転写媒体で潜像が設けられた情報記録体を提供するもので、光輝性顔料を含むインキにより潜像を特殊なパターンで設けることができ、光輝性顔料により干渉色を呈するときと、干渉色が消失したときで、表示される画像を変化させることができ、複製が困難で高いセキュリティ性が得られる感熱転写媒体および情報記録体を提供することを課題とする。
【課題を解決するための手段】
【００１０】
上記課題を解決するため、本発明の請求項１に係る発明は、
支持体の片面に、色素を含む１つ以上の熱転写インキ層と、光輝性顔料を含む機能性インキからなる少なくとも２つの機能性熱転写インキ層と、が面順次に設けられ、
前記機能性熱転写インキ層は、光輝性顔料Ａを含む機能性インキＡからなる機能性熱転写インキ層Ａと、光輝性顔料Ｂを含む機能性インキＢからなる機能性熱転写インキ層Ｂと、を有し、
前記機能性熱転写インキ層Ａと前記機能性熱転写インキ層Ｂは同一の干渉色を有し、
前記機能性熱転写インキ層Ａと前記機能性熱転写インキ層Ｂは互いに異なるヘイズ値を有する、ことを特徴とする感熱転写媒体である。
【００１１】
また、本発明の請求項２に係る発明は、
前記機能性熱転写インキ層Ａのヘイズ値が１％以上３％未満であり、前記機能性熱転写インキ層Ｂのヘイズ値が３％以上６％未満であることを特徴とする請求項１に記載の感熱転写媒体である。
【００１２】
また、本発明の請求項３に係る発明は、
基材上に、
色素を含む１つ以上の熱転写インキ層と、
光輝性顔料Ａを含む機能性インキＡからなる機能性熱転写インキ層Ａと、光輝性顔料Ｂを含む機能性インキＢからなる機能性熱転写インキ層Ｂと、が少なくとも熱転写され、
前記機能性熱転写インキ層Ａと前記機能性熱転写インキ層Ｂは同一の干渉色を有し、前記機能性熱転写インキ層Ａと前記機能性熱転写インキ層Ｂは互いに異なるヘイズ値を有し、オーバレイ層が積層された情報記録体であって、
前記機能性インキＡおよび前記機能性インキＢを用いて所定の表示画像が形成された少なくとも１つの画像形成部が設けられ、前記画像形成部は、所定の観察角度から見たときに前記機能性熱転写インキ層Ａおよび前記機能性熱転写インキ層Ｂが呈する同一の干渉色が見え、観察角度を変えると干渉色が消失することを特徴とする情報記録体である。
【００１３】
また、本発明の請求項４に係る発明は、
前記機能性熱転写インキ層Ａのヘイズ値が１％以上３％未満であり、前記機能性熱転写インキ層Ｂのヘイズ値が３％以上６％未満であることを特徴とする請求項３に記載の情報記録体である。
【００１４】
また、本発明の請求項５に係る発明は、
前記画像形成部が、前記機能性インキＡで形成したセルパターンＡと、前記機能性インキＢで形成したセルパターンＢと、の少なくとも２種類のセルパターンを用いて所定の表示画像が形成されてなることを特徴とする請求項３または４に記載の情報記録体である。
【００１５】
また、本発明の請求項６に係る発明は、
機能性インキＡで形成された核ドットαと、前記核ドットαに隣接し、前記核ドットαと
等面積を有する機能性インキＢで形成された周縁ドットβと、で形成したセルパターンＣと、
機能性インキＢで形成された核ドットβと、前記核ドットβに隣接し、前記核ドットβと等面積を有する機能性インキＡで形成された周縁ドットαと、で形成したセルパターンＤと、の少なくとも２種類のセルパターンを用いて、所定の表示画像が形成されてなることを特徴とする請求項３または４に記載の情報記録体である。
【００１６】
また、本発明の請求項７に係る発明は、
請求項６に記載の情報記録体に、前記セルパターンが並べられているピッチと同じピッチの凸レンズアレイを重ねることで、セルパターンＣの核ドットαおよびセルパターンＤの核ドットβの機能性インキの下地色のみを表示することを特徴とするセルパターンの表示方法である。
【発明の効果】
【００１７】
本発明の請求項１に記載の発明によれば、異なる光輝性顔料をそれぞれが含む機能性インキＡおよび機能性インキＢにより機能性熱転写インキ層が形成された感熱転写媒体であって、機能性インキＡからなる機能性熱転写インキ層Ａと機能性インキＢからなる機能性熱転写インキ層Ｂが同一の干渉色を呈すると共にヘイズ値が互いに異なり、セキュリティ性が要求される記録媒体などに転写して表示画像を形成したとき、光輝性顔料の作用により干渉色を呈する角度から見ると、機能性インキＡおよび機能性インキＢによる文字や画像などのパターンが表示画像として設けられていても、同一の干渉色を呈するため文字や画像などのパターンとして見えない。一方、異なる角度から見ると、干渉色が消失することで下地となる部位の色、すなわち下地色が機能性熱転写インキ層Ａおよび機能性熱転写インキ層Ｂのヘイズ値が異なることにより異なって見え、所定の文字や画像などのパターンが表示画像として浮かび上がって見える様にすることができる。すなわち記録媒体を見る角度により潜像としたり、顕像としたりでき、異なった見え方にできることでセキュリティ性を付与できる感熱転写媒体が得られる。
【００１８】
また請求項２に記載の発明によれば、干渉色が消失したときの下地色の見え方の差が好適に得られる感熱転写媒体が得られる。
【００１９】
また請求項３に記載の発明によれば、機能性インキＡおよび機能性インキＢを用いて形成された画像形成部が、光輝性顔料の作用により干渉色を呈する角度から見た場合は同一の干渉色として見え、一方、異なる角度から見ると干渉色が消失して下地の色が見えるため、機能性熱転写インキ層Ａおよび機能性熱転写インキ層Ｂのヘイズ値の違いにより下地の色の見え方が異なり、形成された所定の表示画像が浮かび上がるように見える情報記録体が得られる。すなわち記録媒体を見る角度により潜像としたり、顕像としたりでき、見る角度により異なった見え方にできることでセキュリティ性を有する情報記録体が得られる。
【００２０】
また請求項４に記載の発明によれば、干渉色が消失したときの下地色の見え方の差が好適に得られる情報記録体が得られる。
【００２１】
また請求項５に記載の発明によれば、画像形成部が、機能性インキＡで形成したセルパターンＡと、機能性インキＢで形成したセルパターンＢとで形成され、干渉色が消失した角度から見たとき、セルパターンＡとセルパターンＢが異なる見え方となることで、所定の表示画像が浮かび上がって見える情報記録体が得られる。
【００２２】
また請求項６に記載の発明によれば、画像形成部が、互いに異なるヘイズ値を有する等面積の核ドットと周縁ドットを組み合わせた２つのセルパターンを用いて所定の画像が形
成されていることで、通常の目視では２種類のセルパターンは干渉色も下地色の見え方も同じとなり区別ができず、セルパターンに形成された画像として文字や記号などを潜像の状態となるように記録することができ、文字や記号などを秘密の情報として記録することができ、また凸レンズアレイを用いることで形成された画像を顕像として見ることができる情報記録体が得られる。
【００２３】
また請求項７に記載の発明によれば、請求項６に記載の画像形成体においてセルパターン中に潜像として記録された文字や記号を、凸レンズアレイにより核ドット部分のみを拡大表示することにより、下地となる部位の色の見え方が異なることで、潜像を目視で容易に確認できる態様に表示することが可能となる。
【図面の簡単な説明】
【００２４】
【図１】本発明の感熱転写媒体の例を示す図である。
【図２】間接熱転写プリンタの一例の概略構成図である。
【図３】セルパターンＡとセルパターンＢの形態例を示す図である。
【図４】セルパターンＡとセルパターンＢで形成された画像の例を示す図である。
【図５】セルパターンＡとセルパターンＢで形成された画像形成部の見え方を例示する図である。
【図６】本発明の情報記録体の一形態を平面視した図である。
【図７】本発明の情報記録体の一形態の断面図である。
【図８】セルパターンＣとセルパターンＤの形態例を示す図である。
【図９】セルパターンＣとセルパターンＤで形成された画像の例を示す図である。
【図１０】凸レンズアレイの形態例の平面図と断面図である。
【図１１】セルパターンＣとセルパターンＤで形成された画像パターンに凸レンズアレイを重ねた状態の平面図である。
【図１２】セルパターンＣとセルパターンＤで形成された画像パターンに凸レンズアレイを重ねたときの見え方の模式図である。
【図１３】本発明の情報記録体の第二の形態を平面視した図である。
【図１４】本発明の情報記録体の第二の形態の断面図である。
【発明を実施するための形態】
【００２５】
以下、本発明の実施の形態を、図面を参照しながら詳細に説明する。なお本発明は以下に説明する実施形態に限定されるものではない。また、同等の部材等には同一の符号を付し、説明を省略することがある。
【００２６】
図１は、本発明の感熱転写媒体の例を示す図である。感熱転写媒体１は、基材フィルム２の一方の面に、シアン（Ｃ）、マゼンタ（Ｍ）、イエロー（Ｙ）の３色の通常の熱転写インキ層が面順次に設けられて構成され、さらに機能性インキＡ（Ｐ１）と機能性インキＢ（Ｐ２）の熱転写インキ層が設けられている。ここで機能性インキＡは機能性熱転写インキ層Ａを形成したときヘイズ値が１以上３未満となるような光輝性顔料Ａを含み、機能性インキＢは機能性熱転写インキ層Ｂを形成したときヘイズ値が３以上６未満となるような光輝性顔料Ｂを含んでいる。また機能性熱転写インキ層Ａと機能性熱転写インキ層Ｂとは同一の干渉色を呈する。この様に、同一の基材フィルムにすべての熱転写インキ層が設けられ、単一のインキリボンとすることができ、取り扱いが容易であり、プリンタの構成も複雑にならない。
【００２７】
また必要に応じ、墨（Ｂｋ）のインキ層を設けても良く、また基材フィルムと熱転写インキ層の間に剥離層を、基材フィルムの他方の面、すなわちサーマルヘッドに当接する面にバックコート層を、それぞれ設けても良い。また間接熱転写方式に用いる際には、再転写時に情報記録体に接着させるための接着層がさらに設けられても良い。また各インキ層
の位置を検出するためのセンサマークを設けることは公知であり、適宜採用できる。
【００２８】
機能性熱転写インキ層Ａに用いる光輝性顔料Ａは、例えば合成マイカ（合成ガラス）を酸化チタン（ＴｉＯ２）で膜厚が０．５μｍ以上３μｍ以下に被覆したものを用いることができ、機能性熱転写インキ層Ａのヘイズ値が１％以上３％未満である。機能性熱転写インキ層Ｂに用いる光輝性顔料Ｂは、天然マイカを酸化チタンで膜厚０．５μｍ以上３μｍ以下に被覆したものを使用でき、機能性熱転写インキ層Ｂのヘイズ値は３％以上６％未満である。いずれの場合も、酸化チタンの外側にさらに酸化鉄（ＦｅＯ、Ｆｅ２Ｏ３）などを被覆することもできる。このため、機能性熱転写インキ層Ｂが転写された部位の下地の色は、機能性熱転写インキ層Ａが転写された部位の下地の色よりも透明感が劣って見え、見え方の差ができる。
【００２９】
シアン（Ｃ）、マゼンタ（Ｍ），イエロー（Ｙ）のインキ層に用いられる顔料としては、公知の種々の顔料を用いることができる。具体的には、フタルイミド系イエロー、ベンズイミダゾロンオレンジ、スルホアミドイエロー、ベンズイミダゾロンイエロー等のアゾ染料、フタロシアニン顔料、ジケトピロロピロール、キノフタノン、イソインドリノン、ジアミノジアントラキノンなどが例示できるが、これらに限定されない。
【００３０】
基材フィルム２は、例えばポリエチレンテレフタレート（ＰＥＴ）、ポリプロピレン（ＰＰ）、ポリカーボネート（ＰＣ）、ポリメチルメタクリレート（ＰＭＭＡ）、ポリエチレン（ＰＥ）等のプラスチックシートが好適に用いられる。基材フィルム２の厚さは、一般的に１〜１００μｍ程度であるが、転写性を向上させるために薄い方が良く、特に１〜１０μｍ程度であることがより好ましい。
【００３１】
なお、熱転写記録方式の場合、情報記録体に直接画像を転写する直接転写記録方式と、一旦中間転写媒体に転写記録した画像を情報記録体に再転写する間接転写記録方式があるが、本発明の感熱転写媒体１は、そのどちらにも適用できる。図２は、感熱転写媒体１を間接熱転写方式のプリンタで使用する例を示している。
【００３２】
プリンタ１００は、サーマルヘッド１０１とプラテンローラ１０２で主要部材として構成される一次転写部と、ヒートローラ１０７と搬送ローラ１０８を主要部材とする二次転写部からなる。一次転写部では、サーマルヘッド１０１とプラテンローラ１０２の間をそれぞれ巻出しロール１０３、１０５から巻き出された感熱転写媒体１と中間転写媒体２０１が通過し、感熱転写媒体１は巻取りロール１０４へと巻き取られ、中間転写媒体２０１は二次転写部へと搬送される。
【００３３】
中間転写媒体としては、ポリエチレンテレフタレートのような樹脂のフィルムを用いることができ、さらに剥離層および受像層をこの順序で形成して積層体として用いることもできる。受像層の材料は、例えばプロプロピレン樹脂、ポリエチレンテレフタレート樹脂、ポリアセタール樹脂、ポリエステル樹脂等の熱可塑性樹脂等を挙げることができる。
【００３４】
一次転写の際は、サーマルヘッド１０１とプラテンローラ１０２が圧接され、感熱転写媒体１の各色の熱転写性インキ層から、画像情報に応じて面順次に中間転写媒体２０１に各色の熱転写記録が行われる。中間転写媒体２０１は、記録が行われる色数分（この例では５色）だけ往復移動されながら所定の部位に色重ねが行われる。色重ねの順番は、特に限定されないが、図１の感熱転写媒体１の場合は、シアン（Ｃ）、マゼンタ（Ｍ）、イエロー（Ｙ）、機能性インキＡ（Ｐ１）、機能性インキＢ（Ｐ２）、の順で行われる。
【００３５】
一次転写終了後、所定の画像記録が行われた中間転写媒体２０１は二次転写部へと搬送される。中間転写媒体２０１は、図示しない搬送機構により搬送された情報記録体となる
記録媒体１０９と共に、ヒートローラ１０７と搬送ローラ１０８の間に挟まれて圧接されつつ搬送され、一次転写部で記録された画像が記録媒体１０９に熱圧転写され、二次転写が終了する。二次転写終了後の中間転写媒体２０１は、巻取りロール１０６に巻き取られるか、次の画像の一次転写のために所定量巻戻される。
【００３６】
感熱転写媒体１を用い、光輝性顔料を含む機能性インキにより文字や画像などのパターンを表示画像として形成した本発明の情報記録体について説明する。図３は、感熱転写媒体１から機能性インキＡを熱転写して形成したセルパターンＡ１１と、機能性インキＢを熱転写して形成したセルパターンＢ１２の形態例を示す図である。セルパターンＡ１１、セルパターンＢ１２は記録ヘッドであるサーマルヘッドにより熱転写された１つの、あるいは複数のドットにより構成されている。
【００３７】
前述のように、機能性インキＡは光輝性顔料Ａを含み、機能性熱転写インキ層Ａはヘイズ値が１％以上３％未満であり、機能性インキＢは光輝性顔料Ｂを含み、機能性熱転写インキ層Ｂはヘイズ値が３％以上６％未満であると共に、同色の干渉色を呈する。図３は、干渉色が消失する角度から見た図であり、ヘイズ値が異なることでそれぞれ異なる見え方となっている。ヘイズ値の小さい機能性熱転写インキ層Ａの機能性インキＡを熱転写して形成されたセルパターンＡ１１は透明性がより高く見え、ヘイズ値が大きい機能性熱転写インキ層Ｂから機能性インキＢを熱転写して形成されたセルパターンＢ１２は透明性が劣り、より曇った感じに見える。
【００３８】
このセルパターンＡ、セルパターンＢを組み合わせて適宜配置し、セルマトリクスを形成した例を図４に示す。同様に感熱転写媒体１から熱転写して形成することができる。セルマトリクス１０をセルパターンＡ１１およびセルパターンＢ１２が干渉色を消失する角度から見たのが図４（ａ）である。図３に示したように、セルパターンＡ１１およびセルパターンＢ１２はヘイズ値が異なることでそれぞれ異なる見え方となるため、ここではセルパターンＢ１２によるパターン（ＯＫの文字）が表示画像として浮き出て見えている。
【００３９】
セルマトリクス１０をセルパターンＡ１１およびセルパターンＢ１２が干渉色を呈する角度から見たのが図４（ｂ）である。両セルパターンは同一の干渉色を呈するため、セルパターンＡおよびセルパターンＢはほぼ均一で同色（例えば緑色）の面１３に見え、セルマトリクス１０には特定のパターンは見えない態様となる。
【００４０】
実際にカードなどの情報記録体に設ける画像パターンの例を図５に示す。画像パターン２０は、中央部分にセルマトリクス１０と同様のセルパターンＡ１１とセルパターンＢ１２を組み合わせたセルマトリクスが形成され、周縁を通常の画像２１が取り巻いている。通常の画像２１の形成方法は、通常の印刷のほか、ホログラムなどの光学素子、通常のパール印刷などでも良く、特に限定されず、感熱転写媒体１から、シアン（Ｃ）、マゼンタ（Ｍ）、イエロー（Ｙ）の３色の通常の熱転写インキを転写して形成しても良い。
【００４１】
画像パターン２０をセルパターンＡ１１とセルパターンＢ１２が干渉色を呈しない角度から見たのが図５（ａ）であり、中央部分に図４（ａ）のセルマトリクス１０と同様に「ＯＫ」の文字が表示画像として浮き出て見えている。
【００４２】
また画像パターン２０をセルパターンＡ１１およびセルパターンＢ１２が干渉色を呈する角度から見たのが図５（ｂ）であり、中央部分は図４（ｂ）のセルマトリクス１０と同様にほぼ均一な同色（例えば緑色）の面１３に見え、画像パターン２０には特定の表示画像が見えない態様となる。
【００４３】
画像パターン２０と同等のものを画像形成部として感熱転写媒体１を用いて情報記録体
表面に設けた例が図６である。情報記録体３０は、カード状の媒体であり、表面に通常の文字や顔写真からなる第２の画像形成部３２が形成され、別の部位に画像パターン２０と同等の第１の画像形成部３１が形成されている。第１の画像形成部３１は、前述のように見る角度により所定の表示画像が浮かび上がって見える場合（図６（ａ））と、ほぼ均一な干渉色が見える場合(図６（ｂ）)が、切り替わって見える態様となる。第２の画像形成部３２は、通常の印刷等の手法で形成しても良いが、感熱転写媒体１のシアン（Ｃ）、マゼンタ（Ｍ）、イエロー（Ｙ）の３色の通常の熱転写インキを転写して形成することもできる。
【００４４】
図６（ａ）の情報記録体３０の直線ＸＸ´の部位での断面を示したのが図７である。情報記録体３０は基材３５上に接着層３４を介して第２の画像形成部３２および第１の画像形成部３１が形成されている。第１の画像形成部３１では、セルパターンＡ１１とセルパターンＢ１２が所定の表示画像を表示できる様に適宜配置されている。また、オーバレイ３３が保護層として形成されている。ここで情報記録体３０は間接熱転写記録方式で記録された例であり、オーバレイ３３は中間転写媒体の受像層が転写されたものである。
【００４５】
第２の画像形成部３２には、ここでは感熱転写媒体１のシアン（Ｃ）、マゼンタ（Ｍ）、イエロー（Ｙ）の３色の通常の熱転写インキを転写して形成されたドット３６が形成されている。
【００４６】
基材３５の材質は、特に限定するものではないが、例えば天然の紙および合成紙などの紙、ポリエチレンテレフタレート樹脂（ＰＥＴ）、ポリ塩化ビニル樹脂（ＰＶＣ）、熱硬化性ポリエステル樹脂、ポリカーボネート樹脂、ポリメタクリル樹脂およびポリスチレン樹脂などの合成樹脂、ガラス、陶器および磁器などのセラミックス、または、単体金属および合金などの金属材料であってもよい。
【００４７】
この結果、情報記録体３０には光輝性顔料による干渉色であるパール光沢と、ヘイズ値の差による特有の見え方の差により浮かび上がるパターンによる表示画像とが、見る角度により切り替わるという特徴的な表示効果を有することになり、偽造、贋造防止効果が高まりセキュリティ性が向上した記録体とすることができる。しかも、このような特有の効果を有する画像形成部を、一つの感熱転写媒体からの熱転写記録で形成することができ、効率的に形成できる。また、情報記録体１枚ごとに異なる情報として記録することができ、より偽造防止効果が高い偽造防止媒体することができる。
【００４８】
図８は、感熱転写媒体１から機能性インキを熱転写して形成したセルパターンの第２の形態例を示すもので、機能性インキＡで形成された核ドットα４１１と、核ドットα４１１に隣接し、核ドットα４１１と等面積を有し、機能性インキＢで形成された周縁ドットβ４１２からなるセルパターンＣ４１と、機能性インキＢで形成された核ドットβ４２１と、核ドットβ４２１に隣接し、核ドットβ４２１と等面積を有する機能性インキＡで形成された周縁ドットβ４２２からなるセルパターンＤ４２をそれぞれ示している。なおここでは、干渉色が消色する角度から見た態様を示しているが、干渉色を呈する角度から見た場合は、核ドットと周縁ドットは同一の干渉色（例えば緑）を呈することになり、セルパターンＣ４１とセルパターンＤ４２はいずれもほぼ均一な色に見える。
【００４９】
このセルパターンＣ４１およびセルパターンＤ４２を組み合わせて等ピッチで配列し、文字や数字、記号などを形成したセルマトリクスの一例を図９に示す。図９のセルマトリクス５０においては、セルパターンＣ４１を「地」として、セルパターンＤ４２により「１２３」の文字パターンが形成されている。なおここでは、干渉色が消色する角度から見た態様を示している。
【００５０】
図９では説明の分かりやすさのためセルマトリクス５０を大きく表示しているが、セルパターンＣおよびセルパターンＤの面積が充分小さい場合、通常の目視ではヘイズ値の差による見え方の差は判別できず、核ドットと周縁ドットを見分けることは困難である。また核ドットα４１１と周縁ドットβ４１２、および核ドットβ４２１と周縁ドットβ４２２は、それぞれの面積が同じであることからセルパターンＣとセルパターンＤを見分けることもできない。その結果、通常の目視では「１２３」の文字パターンは潜像となり、セルマトリクス５０の部分はほぼ均一な色に見える。ここで面積が充分小さい、とは、一辺の長さが０．２５〜１ｍｍ以下であることを指す。
【００５１】
図９のセルマトリクス５０を視認できるようにするには、図１０に示したようなハエの目状の凸レンズアレイ６０を用いる。凸レンズアレイ６０は、図１０（ｂ）に示した直線ＹＹ´での断面図からも分かる様に、透明基板部６２上に凸レンズ６１が等ピッチで２次元に配列されたもので、そのピッチがセルマトリクス５０のピッチと同じとなっている。この凸レンズアレイ６０を、前述の実施形態において例示した画像パターン２０と同様の画像パターンの中央部分にセルマトリクス５０を形成した画像パターン７０に重ねると、図１１に示すようにセルパターンＤ４２の部分は機能性インキＢで形成された核ドットβが見え、セルパターンＣの部分は機能性インキＡで形成された核ドットαが見える様にすることができ、通常の目視では潜像となっている文字パターン「１２３」を視認できる。
【００５２】
これは、図１２に模式的に示す様に、凸レンズ６１の焦点を、機能性インキＡで形成された核ドットα４１１および機能性インキＢで形成された核ドットβ４２１に合わせた場合のことで、核ドットα４１１および核ドットβ４２１の部分のみが凸レンズ６１で拡大され、周縁ドットα４１２および周縁ドットβ４２２の部分が見え難くなることで、へイズ値が異なって見え方の異なる部分が拡大されるため、潜像となっていた文字パターン（ここでは「１２３」）が視認できるようになるものである。
【００５３】
このとき、核ドットの形状を拡大しやすいような形状、例えば図８に示す核ドットα４１１および核ドットβ４２１のような正方形とすると、凸レンズアレイ６０を重ねたときに凸レンズ６１の焦点を合わせやすい。なお核ドットの形状は正方形以外でも焦点を合わせやすい形状であれば良く、例えば円形や楕円形、正方形以外の多角形であっても良い。
【００５４】
画像パターン７０と同等のものを画像形成部として感熱転写媒体１を用いて情報記録体表面に設けた例が図１３である。情報記録体８０は、カード状の媒体であり、表面に通常の文字や顔写真からなる第２の画像形成部８２が形成され、別の部位に画像パターン７０と同等の第１の画像形成部８１が形成されている。第１の画像形成部８１は、図１３（ａ）のように通常は特にパターン等は見えないが、図１３（ｂ）の様に凸レンズアレイ６０を重ねることで、表示画像（ここでは、「１２３」）が浮かび上がって見える態様となる。第２の画像形成部８２は、通常の印刷等の手法で形成しても良いが、感熱転写媒体１のシアン（Ｃ）、マゼンタ（Ｍ）、イエロー（Ｙ）の３色の通常の熱転写インキを転写して形成することもできる。
【００５５】
図１３（ｂ）の情報記録体８０の直線ＺＺ´の部位での断面を示したのが図１４である。情報記録体８０は基材８５上に接着層８４を介して第２の画像形成部８２および第１の画像形成部８１が形成されている。第１の画像形成部８１では、セルパターンＣ４１とセルパターンＤ４２が所定の表示画像を表示できる様に適宜配置されている。また、オーバレイ８３が保護層として形成されている。ここで情報記録体８０は間接熱転写記録方式で記録された例であり、オーバレイ８３は中間転写媒体の受像層が転写されたものである。
【００５６】
この結果、情報記録体８０は、通常目視した場合は第１の画像形成部８１には特段の画像や文字などの表示画像は見えないが、凸レンズアレイ６０を重ね合わせることで機能性
熱転写インキ層のへイズ値の差による見え方の違いで形成される表示画像が現れるという特徴的な表示効果を有することになり、偽造、贋造防止効果が高まりセキュリティ性が向上した記録体とすることができる。しかも、このような特有の効果を有する画像形成部を、一つの感熱転写媒体１からの熱転写記録で形成することができ、効率的に形成できる。また情報記録体１枚ごとに異なる情報として記録することができ、より偽造防止効果が高い偽造防止媒体することができる。
【００５７】
以上説明したように、本発明の感熱転写媒体および情報記録体によれば、光輝性顔料を含む機能性熱転写インキ層のへイズ値の差による見え方の違いという特有の視覚効果を有する表示画像を潜像パターンとして微細なセルパターンで形成することができ、偽造が困難であるばかりでなく、潜像パターンが通常の状態では視認出来ず、潜像パターンが設けられていること自体が容易には分からない態様とすることもでき、偽造や改ざんを誘発する契機を小さくすることができ、高い偽造防止効果が得られる。
【実施例】
【００５８】
以下に具体例により、本発明を具体的に説明する。
＜実施例１＞
・基材フィルムに合成マイカを酸化チタン（ＴｉＯ２）で被覆した光輝性顔料を使用した機能性インキＡと、天然マイカを酸化チタンで被覆した光輝性顔料を用いた機能性インキＢとを塗工した感熱転写媒体により、間接熱転写方式のプリンタにより、ＰＶＣカード上にそれぞれ１ｍｍ角の正方形セルパターンＡ、セルパターンＢを組み合わせ、「ＯＫ」の文字状となる様に画像パターンを形成した。
・このとき、合成マイカと天然マイカに被覆させる酸化チタンの膜厚を同一にした。
・また機能性熱転写インキ層Ａのヘイズ値は２％であり、機能性熱転写インキ層Ｂのヘイズ値は４％であった。
・ＰＶＣカードを法線方向から見たときは、へイズ値の違いにより「ＯＫ」の文字が視認できた。
・ＰＶＣカードを傾け、干渉色が見える状態とすると、セルパターンＡ、セルパターンＢは同一の干渉色を呈し、画像パターンは見えなくなった。
・以上のように、熱転写記録により個別情報としてオンデマンド記録可能な画像パターンを、潜像と顕像に切替え可能に設けることができた。
【００５９】
＜比較例１＞
・実施例１において機能性インキを転写した部位に、２種類の透明インキを塗工した。透明インキはヘイズ値が異なる様に一方にフィラーを添加し、ヘイズ値が５となる様にした。
・実施例１と同様にＰＶＣカードに「ＯＫ」の文字状となる画像パターンを形成した。
・ＰＶＣカードを法線方向から見たときは、へイズ値の違いにより「ＯＫ」の文字が視認できた。
・ＰＶＣカードを傾けても、輝性顔料でないため干渉色は見えず、潜像として形成できなかった。
【００６０】
＜実施例２＞
・実施例１と同じ感熱転写媒体を用い、間接熱転写方式のプリンタによりＰＶＣカード上にそれぞれ１ｍｍ角の正方形セルパターンＣ、セルパターンＤを組み合わせ、「ＯＫ」の文字状となる様に画像パターンを形成した。
・ＰＶＣカードを法線方向から目視したときは、画像パターンは見えなかった。
・ＰＶＣカードを傾け、干渉色が見える状態とすると、ほぼ均一に干渉色が見えた。
・１ｍｍピッチの凸レンズアレイを重ねると、へイズ値の差による見え方の差が生じ、「ＯＫ」の文字が視認できた。
【００６１】
＜比較例２＞
・実施例１において機能性インキを転写した部位に、１種類の汎用パールインキを塗布したものを作成した。
・干渉色を呈する角度から見たときは、ほぼ均一な干渉色が見えた。
・実施例２と同様の凸レンズアレイを重ねても、画像パターンは現れなかった。
【符号の説明】
【００６２】
１・・・感熱転写媒体
２・・・基材フィルム
１０・・・セルマトリクス
１１・・・セルパターンＡ
１２・・・セルパターンＢ
１３・・・同色の面
２０、７０・・・画像パターン
２１・・・通常の画像
３０、８０・・・情報記録体
３１、８１・・・第１の画像形成部
３２、８２・・・第２の画像形成部
３３、８３・・・オーバレイ
３４、８４・・・接着層
３５、８５・・・基材
３６・・・ドット
４１・・・セルパターンＣ
４１１・・・核ドットα
４１２・・・周縁ドットβ
４２・・・セルパターンＤ
４２１・・・核ドットβ
４２２・・・周縁ドットα
５０・・・セルマトリクス
６０・・・凸レンズアレイ
６１・・・凸レンズ
６２・・・透明基板部
１００・・・プリンタ
【図１】
2020082354.tif 000003
【図２】
2020082354.tif 000004
【図３】
2020082354.tif 000005
【図４】
2020082354.tif 000006
【図５】
2020082354.tif 000007
【図６】
2020082354.tif 000008
【図７】
2020082354.tif 000009
【図８】
2020082354.tif 000010
【図９】
2020082354.tif 000011
【図１０】
2020082354.tif 000012
【図１１】
2020082354.tif 000013
【図１２】
2020082354.tif 000014
【図１３】
2020082354.tif 000015
【図１４】
2020082354.tif 000016